【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
第１の通信経路を介して他の通信装置と通信する第１の通信部と、
第２の通信経路を介して上記他の通信装置と通信する第２の通信部と、
上記他の通信装置との通信時、当該他の通信装置との通信に利用されている１つの上記第１又は第２の通信経路と、上記他の通信装置との通信に利用するように指定された１つの上記第１又は第２の通信経路とが一致するか否かを判別する判別部と、
上記他の通信装置との通信時、上記判別部により、上記他の通信装置との通信に利用されている１つの上記第１又は第２の通信経路と、上記他の通信装置との通信に利用するように指定された１つの上記第１又は第２の通信経路とが一致しないと判別された場合、上記他の通信装置と通信している一方の上記第１又は第２の通信部を、他方の上記第１又は第２の通信部に切り換える切換部と
を具える通信装置。
【請求項２】
上記第１及び第２の通信部により上記他の通信装置に送信される送信音声信号を生成する音声信号生成部と、
上記他の通信装置から送信され、上記第１及び第２の通信部により受信される受信音声信号に基づく音声を出力する出力部と
を具え、
上記切換部は、
上記他の通信装置との通信時、上記判別部により、上記他の通信装置との通信に利用されている１つの上記第１又は第２の通信経路と、上記他の通信装置との通信に利用するように指定された１つの上記第１又は第２の通信経路とが一致しないと判別された場合、上記他の通信装置と通信している一方の上記第１又は第２の通信部による上記送信音声信号の送信と上記受信音声信号の受信とを中止すると共に、他方の上記第１又は第２の通信部による上記送信音声信号の送信と上記受信音声信号の受信とを開始するように、上記他の通信装置と通信している一方の上記第１又は第２の通信部を、他方の上記第１又は第２の通信部に切り換える
請求項１に記載の通信装置。
【請求項３】
上記第１及び第２の通信部により上記他の通信装置に送信される送信画像信号を生成する画像信号生成部と、
上記他の通信装置から送信され、上記第１及び第２の通信部により受信される受信画像信号に基づく画像を表示する表示部と
を具え、
上記切換部は、
上記他の通信装置との通信時、上記判別部により、上記他の通信装置との通信に利用されている１つの上記第１又は第２の通信経路と、上記他の通信装置との通信に利用するように指定された１つの上記第１又は第２の通信経路とが一致しないと判別された場合、上記他の通信装置と通信している一方の上記第１又は第２の通信部による上記送信音声信号及び上記送信画像信号の送信と上記受信音声信号及び上記受信画像信号の受信とを中止すると共に、他方の上記第１又は第２の通信部による上記送信音声信号及び上記送信画像信号の送信と上記受信音声信号及び上記受信画像信号の受信とを開始するように、上記他の通信装置と通信している一方の上記第１又は第２の通信部を、他方の上記第１又は第２の通信部に切り換える
請求項２に記載の通信装置。
【請求項４】
上記第１及び第２の通信経路の一方は公衆電話回線網であり、他方はインターネットである
請求項１に記載の通信装置。
【請求項５】
上記第１の通信部により上記第１の通信経路を介して上記他の通信装置と通信接続するための第１の識別情報と、上記第２の通信部により上記第２の通信経路を介して上記他の通信装置と通信接続するための第２の識別情報とを有する識別情報リストを記憶するリスト記憶部
を具え、
上記切換部は、
上記他の通信装置との通信時、上記判別部により、上記他の通信装置との通信に利用されている１つの上記第１又は第２の通信経路と、上記他の通信装置との通信に利用するように指定された１つの上記第１又は第２の通信経路とが一致しないと判別された場合、上記リスト記憶部に記憶された上記識別情報リストに基づいて、上記他の通信装置と通信してはいない他方の上記第１又は第２の通信部により上記第１又は第２の通信経路を介して当該他の通信装置と通信接続するための１つの上記第１又は第２の識別情報を検索し、上記他の通信装置と通信している一方の上記第１又は第２の通信部を、上記検索した１つの上記第１又は第２の識別情報を用いて他方の上記第１又は第２の通信部に切り換える
請求項１に記載の通信装置。
【請求項６】
上記他の通信装置との通信に利用するように指定された１つの上記第１又は第２の通信経路を示す利用経路情報を記憶する経路情報記憶部
を具え、
上記判別部は、
上記他の通信装置との通信時、上記経路情報記憶部から上記利用経路情報を読み出して、当該読み出した上記利用経路情報が示す１つの上記第１又は第２の通信経路と、上記他の通信装置との通信に利用されている１つの上記第１又は第２の通信経路とを比較する
請求項１に記載の通信装置。
【請求項７】
上記経路情報記憶部は、
通信可能な複数の上記他の通信装置との通信にそれぞれ利用するように指定された１つの上記第１又は第２の通信経路を示す上記利用経路情報を上記他の通信装置毎に記憶し、
上記判別部は、
上記他の通信装置との通信時、上記経路情報記憶部から当該通信中の上記他の通信装置に対応する上記利用経路情報を読み出して、当該読み出した上記利用経路情報が示す１つの上記第１又は第２の通信経路と、上記他の通信装置との通信に利用されている１つの上記第１又は第２の通信経路とを比較する
請求項６に記載の通信装置。
【請求項８】
上記他の通信装置との通信に利用する１つの上記第１又は第２の通信経路を指定するために用いられる指定部
を具え、
上記判別部は、
上記他の通信装置との通信時、上記指定部を介して指定された１つの上記第１又は第２の通信経路と、上記他の通信装置との通信に利用されている１つの上記第１又は第２の通信経路とを比較する
請求項１に記載の通信装置。
【請求項９】
他の電話機と通信する電話機において、
第１の通信経路を介して他の通信装置と通信する第１の通信部と、
第２の通信経路を介して上記他の通信装置と通信する第２の通信部と、
上記第１及び第２の通信部により上記他の通信装置に送信される送信音声信号を生成する音声信号生成部と、
上記他の通信装置から送信され、上記第１及び第２の通信部により受信される受信音声信号に基づく音声を出力する出力部と、
上記他の通信装置との通信時、当該他の通信装置との通信に利用されている１つの上記第１又は第２の通信経路と、上記他の通信装置との通信に利用するように指定された１つの上記第１又は第２の通信経路とが一致するか否かを判別する判別部と、
上記他の通信装置との通信時、上記判別部により、上記他の通信装置との通信に利用されている１つの上記第１又は第２の通信経路と、上記他の通信装置との通信に利用するように指定された１つの上記第１又は第２の通信経路とが一致しないと判別された場合、上記他の通信装置と通信している一方の上記第１又は第２の通信部による上記送信音声信号の送信と上記受信音声信号の受信とを中止すると共に、他方の上記第１又は第２の通信部による上記送信音声信号の送信と上記受信音声信号の受信とを開始するように、上記他の通信装置と通信している一方の上記第１又は第２の通信部を、他方の上記第１又は第２の通信部に切り換える切換部と
を具える電話機。
【請求項１０】
上記第１及び第２の通信部により上記他の通信装置に送信される送信画像信号を生成する画像信号生成部と、
上記他の通信装置から送信され、上記第１及び第２の通信部により受信される受信画像信号に基づく画像を表示する表示部と
を具え、
上記切換部は、
上記他の通信装置との通信時、上記判別部により、上記他の通信装置との通信に利用されている１つの上記第１又は第２の通信経路と、上記他の通信装置との通信に利用するように指定された１つの上記第１又は第２の通信経路とが一致しないと判別された場合、上記他の通信装置と通信している一方の上記第１又は第２の通信部による上記送信音声信号及び上記送信画像信号の送信と上記受信音声信号及び上記受信画像信号の受信とを中止すると共に、他方の上記第１又は第２の通信部による上記送信音声信号及び上記送信画像信号の送信と上記受信音声信号及び上記受信画像信号の受信とを開始するように、上記他の通信装置と通信している一方の上記第１又は第２の通信部を、他方の上記第１又は第２の通信部に切り換える
請求項９に記載の電話機。
【請求項１１】
上記第１及び第２の通信経路の一方は公衆電話回線網であり、他方はインターネットである
請求項９に記載の電話機。
【請求項１２】
上記第１の通信部により上記第１の通信経路を介して上記他の通信装置と通信接続するための第１の識別情報と、上記第２の通信部により上記第２の通信経路を介して上記他の通信装置と通信接続するための第２の識別情報とを有する識別情報リストを記憶するリスト記憶部
を具え、
上記切換部は、
上記他の通信装置との通信時、上記判別部により判別された１つの上記第１又は第２の通信経路と、上記判別部により、上記他の通信装置との通信に利用されている１つの上記第１又は第２の通信経路と、上記他の通信装置との通信に利用するように指定された１つの上記第１又は第２の通信経路とが一致しないと判別された場合、上記リスト記憶部に記憶された上記識別情報リストに基づいて、上記他の通信装置と通信してはいない他方の上記第１又は第２の通信部により上記第１又は第２の通信経路を介して当該他の通信装置と通信接続するための１つの上記第１又は第２の識別情報を検索し、上記他の通信装置と通信している一方の上記第１又は第２の通信部を、上記検索した１つの上記第１又は第２の識別情報を用いて他方の上記第１又は第２の通信部に切り換える
請求項９に記載の電話機。
【請求項１３】
上記他の通信装置との通信に利用するように指定された１つの上記第１又は第２の通信経路を示す利用経路情報を記憶する経路情報記憶部
を具え、
上記判別部は、
上記他の通信装置との通信時、上記経路情報記憶部から上記利用経路情報を読み出して、当該読み出した上記利用経路情報が示す１つの上記第１又は第２の通信経路と、上記他の通信装置との通信に利用されている１つの上記第１又は第２の通信経路とを比較する
請求項９に記載の電話機。
【請求項１４】
上記経路情報記憶部は、
通信可能な複数の上記他の通信装置との通信にそれぞれ利用するように指定された１つの上記第１又は第２の通信経路を示す上記利用経路情報を上記他の通信装置毎に記憶し、
上記判別部は、
上記他の通信装置との通信時、上記経路情報記憶部から当該通信中の上記他の通信装置に対応する上記利用経路情報を読み出して、当該読み出した上記利用経路情報が示す１つの上記第１又は第２の通信経路と、上記他の通信装置との通信に利用されている１つの上記第１又は第２の通信経路とを比較する
請求項１３に記載の電話機。
【請求項１５】
上記他の通信装置との通信に利用する１つの上記第１又は第２の通信経路を指定するために用いられる指定部
を具え、
上記判別部は、
上記他の通信装置との通信時、上記指定部を介して指定された１つの上記第１又は第２の通信経路と、上記他の通信装置との通信に利用されている１つの上記第１又は第２の通信経路とを比較する
請求項９に記載の電話機。
【請求項１６】
第１の通信装置と第２の通信装置とが通信する通信システムにおいて、
上記第１の通信装置は、
上記第１の通信経路を介して上記第２の通信装置と通信する第１の通信部と、
上記第２の通信経路を介して上記第２の通信装置と通信する第２の通信部と、
上記第２の通信装置との通信時、当該第２の通信装置との通信に利用されている１つの上記第１又は第２の通信経路と、上記第２の通信装置との通信に利用するように指定された１つの上記第１又は第２の通信経路とが一致するか否かを判別する判別部と、
上記第２の通信装置との通信時、上記判別部により、上記第２の通信装置との通信に利用されている１つの上記第１又は第２の通信経路と、上記第２の通信装置との通信に利用するように指定された１つの上記第１又は第２の通信経路とが一致しないと判別された場合、上記第２の通信装置と通信している一方の上記第１又は第２の通信部を、他方の上記第１又は第２の通信部に切り換える第１の切換部と
を具え、
上記第２の通信装置は、
上記第１の通信経路を介して上記第１の通信装置と通信する第３の通信部と、
上記第２の通信経路を介して上記第１の通信装置と通信する第４の通信部と、
上記第１の通信装置と通信時、当該第１の通信装置による一方の上記第１又は第２の通信部から他方の上記第１又は第２の通信部への切り換えに応じて、上記第１の通信装置と通信している一方の上記第３又は第４の通信部を、他方の上記第３又は第４の通信部に切り換える第２の切換部と
を具える通信システム。
【請求項１７】
上記第１の通信装置は、
上記第１及び第２の通信部により上記第２の通信装置に送信される送信音声信号を生成する第１の音声信号生成部と、
上記第２の通信装置から送信され、上記第１及び第２の通信部により受信される受信音声信号に基づく音声を出力する第１の出力部と
を具え、
上記第２の通信装置は、
上記第３及び第４の通信部により上記第１の通信装置に送信される上記受信音声信号を生成する第２の音声信号生成部と、
上記第１の通信装置から送信され、上記第３及び第４の通信部により受信される上記送信音声信号に基づく音声を出力する第２の出力部と
を具え、
上記第１の通信装置の上記第１の切換部は、
上記第２の通信装置との通信時、上記判別部により、上記第２の通信装置との通信に利用されている１つの上記第１又は第２の通信経路と、上記第２の通信装置との通信に利用するように指定された１つの上記第１又は第２の通信経路とが一致しないと判別された場合、上記第２の通信装置と通信している一方の上記第１又は第２の通信部による上記送信音声信号の送信と上記受信音声信号の受信とを中止すると共に、他方の上記第１又は第２の通信部による上記送信音声信号の送信と上記受信音声信号の受信とを開始するように、上記第２の通信装置と通信している一方の上記第１又は第２の通信部を、他方の上記第１又は第２の通信部に切り換え、
上記第２の通信装置の上記第２の切換部は、
上記第１の通信装置と通信時、当該第１の通信装置による一方の上記第１又は第２の通信部から他方の上記第１又は第２の通信部への切り換えに応じて、上記第１の通信装置と通信している一方の上記第３又は第４の通信部による上記受信音声信号の送信と上記送信音声信号の受信とを中止すると共に、他方の上記第３又は第４の通信部による上記受信音声信号の送信と上記送信音声信号の受信とを開始するように、上記第１の通信装置と通信している一方の上記第３又は第４の通信部を、他方の上記第３又は第４の通信部に切り換える
請求項１６に記載の通信システム。
【請求項１８】
上記第１の通信装置は、
上記第１及び第２の通信部により上記第２の通信装置に送信される送信画像信号を生成する第１の画像信号生成部と、
上記第２の通信装置から送信され、上記第１及び第２の通信部により受信される受信画像信号に基づく画像を表示する第１の表示部と
を具え、
上記第２の通信装置は、
上記第３及び第４の通信部により上記第１の通信装置に送信される上記受信画像信号を生成する第２の画像信号生成部と、
上記第１の通信装置から送信され、上記第３及び第４の通信部により受信される上記送信画像信号に基づく画像を表示する第２の表示部と
を具え、
上記第１の通信装置の上記第１の切換部は、
上記第２の通信装置との通信時、上記判別部により判別された１つの上記第１又は第２の通信経路と、上記第２の通信装置との通信に利用するように指定された１つの上記第１又は第２の通信経路とが一致しない場合、上記第２の通信装置と通信している一方の上記第１又は第２の通信部による上記送信音声信号及び上記送信画像信号の送信と上記受信音声信号及び上記受信画像信号の受信とを中止すると共に、他方の上記第１又は第２の通信部による上記送信音声信号及び上記送信画像信号の送信と上記受信音声信号及び上記受信画像信号の受信とを開始するように、上記第２の通信装置と通信している一方の上記第１又は第２の通信部を、他方の上記第１又は第２の通信部に切り換え、
上記第２の通信装置の上記第２の切換部は、
上記第１の通信装置と通信時、当該第１の通信装置による一方の上記第１又は第２の通信部から他方の上記第１又は第２の通信部への切り換えに応じて、上記第１の通信装置と通信している一方の上記第３又は第４の通信部による上記受信音声信号及び上記受信画像信号の送信と上記送信音声信号及び上記送信画像信号の受信とを中止すると共に、他方の上記第３又は第４の通信部による上記受信音声信号及び上記受信画像信号の送信と上記送信音声信号及び上記送信画像信号の受信とを開始するように、上記第１の通信装置と通信している一方の上記第３又は第４の通信部を、他方の上記第３又は第４の通信部に切り換える
請求項１７に記載の通信システム。
【請求項１９】
第１の通信経路を介して他の通信装置と通信する第１の通信部と、第２の通信経路を介して上記他の通信装置と通信する第２の通信部との一方による上記他の通信装置との通信時、当該他の通信装置との通信に利用されている１つの上記第１又は第２の通信経路と、上記他の通信装置との通信に利用するように指定された１つの上記第１又は第２の通信経路とが一致するか否かを判別する判別ステップと、
上記他の通信装置との通信時、当該他の通信装置との通信に利用されている１つの上記第１又は第２の通信経路と、上記他の通信装置との通信に利用するように指定された１つの上記第１又は第２の通信経路とが一致しないと判別された場合、上記他の通信装置と通信している一方の上記第１又は第２の通信部を、他方の上記第１又は第２の通信部に切り換える切換ステップと
を具える通信方法。
【請求項２０】
コンピュータに対し、
第１の通信経路を介して他の通信装置と通信する第１の通信部と、第２の通信経路を介して上記他の通信装置と通信する第２の通信部との一方による上記他の通信装置との通信時、当該他の通信装置との通信に利用されている１つの上記第１又は第２の通信経路と、上記他の通信装置との通信に利用するように指定された１つの上記第１又は第２の通信経路とが一致するか否かを判別する判別ステップと、
上記他の通信装置との通信時、当該他の通信装置との通信に利用されている１つの上記第１又は第２の通信経路と、上記他の通信装置との通信に利用するように指定された１つの上記第１又は第２の通信経路とが一致しないと判別された場合、上記他の通信装置と通信している一方の上記第１又は第２の通信部を、他方の上記第１又は第２の通信部に切り換える切換ステップと
を実行させるための通信プログラム。